(57)【要約】【課題】２枚の透明板の間の空間に表示部を有する扉を備えたものにおいて、前記表示部の前面側における結露の発生を簡単な構成で極力防止する。【解決手段】前面に開口部７を有し、内部に被調理物が収容される調理室６と、開口部７を開閉する扉３とを備えた電子レンジ（加熱調理器）１において、扉３を、当該扉３の前面側に配置された外側透明板１３と、当該扉３の背面側にあって外側透明板１３に対し空間１４を介して対向配置された内側透明板１２とを有して構成する。この扉３の空間１４にあって、外側透明板１３に対して離間する位置に、周囲が断熱部３８で覆われ前面側に調理条件等を表示する第２の表示部３１を設ける。更に、空間１４にあって第２の表示部３１の上部に、前後方向に延びその前側の先端部が外側透明板１３の背面に接触して、この空間１４を上下に仕切る仕切り板４２を設ける。【選択図】図１
2010032153.tif 000002
【特許請求の範囲】
【請求項１】
前面に開口部を有し、内部に被調理物が収容される調理室と、
前記開口部を開閉する扉とを備えた加熱調理器において、
前記扉は、当該扉の前面側に配置された外側透明板と、当該扉の背面側にあって前記外側透明板に対し空間を介して対向配置された内側透明板と、前記空間にあって前記外側透明板に対して離間し周囲が断熱部で覆われて設けられ、前面側に調理条件等を表示する表示部と、前記空間にあって前記表示部の上部に位置させて設けられ、前後方向に延びその前側の先端部が前記外側透明板の背面に接触して前記空間を上下に仕切る仕切り板とを有していることを特徴とする加熱調理器。
【請求項２】
前記仕切り板は、熱伝導性が良好な材料により構成されていることを特徴とする請求項１記載の加熱調理器。
【請求項３】
前記仕切り板は、黒色に着色されていることを特徴とする請求項１又は２記載の加熱調理器。
【請求項４】
前記仕切り板は、前記表示部の上部と後部を覆う形状をなしていることを特徴とする請求項１乃至３のいずれかに記載の加熱調理器。
【請求項５】
前記表示部は、光源と、この光源が配設される光源用基板とを有し、
当該光源用基板は、密閉された空間に配置されていることを特徴とする請求項１記載の加熱調理器。
【請求項６】
前記表示部と異なる位置にあって、操作部に隣接した位置にある別の表示部を有し、
前記表示部は、複数の調理メニューのうち、同一概念の調理メニューを点灯する光源を有し、
前記別の表示部は、点灯された同一概念の調理メニューのうち、前記操作部により選択された調理メニューが表示されることを特徴とする請求項５記載の加熱調理器。
【請求項７】
前記扉に、前記外側透明板と前記内側透明板との間の空間と外部とを連通させるスリットが形成されていることを特徴とする請求項１記載の加熱調理器。
【発明の詳細な説明】
【技術分野】
【０００１】
本発明は、２枚の透明板を有する扉を備えた加熱調理器に関する。
【背景技術】
【０００２】
加熱調理器、例えば電子レンジにおいては、マイクロ波による加熱調理を行う調理室の前面に、調理室の開口部を開閉する扉が設けられている。
この扉には、一般に、調理室前面からのマイクロ波の漏れを防ぐためにパンチングメタルが設けられ、このパンチングメタルを挟むようにして外側透明板と内側透明板が設けられている。外側透明板は当該扉の前面側に配置され、内側透明板は当該扉の背面側にあって外側透明板に対し空間を介して対向配置され、この間の空間に上述したパンチングメタルが設けられている。
【０００３】
この２枚の透明板を有する扉を備えた加熱調理器を用いては、調理室内で生じた蒸気が内側透明板と扉の扉枠との隙間から２枚の透明板の間の空間に入ってしまうことがある。又、調理室内に収容された被調理物を加熱すると、外側透明板の表面温度が内側透明板の表面温度よりも低い状態となり、被調理物の種類や加熱調理器の使用環境によっては、外側透明板の背面（空間）側に結露が生じることがある。
【０００４】
この結露の発生を防止するために、例えば特許文献１では、外側透明板と内側透明板との間の空間に熱せられた風を通して、２枚の透明板の温度差を小さくして結露の発生を防止している。この風は、加熱調理器の調理室の上方に設けられた結露防止用の送風機によって発生され、調理室の上方に設けられたダクトに通されて調理室の排熱により熱せられ、外透明板と内透明板との間の空間に供給されている。
【特許文献１】特開２００６−２２６５３７号公報
【発明の開示】
【発明が解決しようとする課題】
【０００５】
近年、加熱調理器の意匠性を向上させるために、外側透明板と内側透明板との間の空間に、調理条件等を示す表示部を設ける構成が開発されている。このような構成においては、表示部が調理室側の熱の影響を受けないように、表示部の周囲を遮熱板等の断熱部で覆う必要がある。しかし、この構成では、外側透明板の背面うちの表示部の前面に対応する部分は、それ以外の部分に比べて、断熱部の断熱作用により外側透明板の表面温度が低くなり易く、表示部が外側透明板と内側透明板との間の空間に無い構成の加熱調理器に比べて、より結露が発生し易くなってしまうことが考えられる。
【０００６】
この外側透明板と内側透明板との間の空間に表示部を設ける構成の加熱調理器に、特許文献１の外透明板と内透明板との間の空間に風を通す構成を採用する場合には、風を発生させるための送風機及び風を導くためのダクトを設ける必要があり、コストがかかると共に、加熱調理器の構成が複雑になってしまうという問題がある。
【０００７】
本発明は、上記の事情に鑑みてなされたものであり、その目的は、２枚の透明板の間の空間に表示部を有する扉を備えたものにおいて、前記表示部の前面側における結露の発生を簡単な構成で極力防止することができる加熱調理器を提供することである。
【課題を解決するための手段】
【０００８】
上記目的を達成するために、本発明の加熱調理器は、前面に開口部を有し、内部に被調理物が収容される調理室と、前記開口部を開閉する扉とを備えたものであって、前記扉は、当該扉の前面側に配置された外側透明板と、当該扉の背面側にあって前記外側透明板に対し空間を介して対向配置された内側透明板と、前記空間にあって前記外側透明板に対して離間し周囲が断熱部で覆われて設けられ、前面側に調理条件等を表示する表示部と、前記空間にあって前記表示部の上部に位置させて設けられ、前後方向に延びその前側の先端部が前記外側透明板の背面に接触して前記空間を上下に仕切る仕切り板とを有していることを特徴としている。
【発明の効果】
【０００９】
本発明の加熱調理器よれば、扉の外側透明板と内側透明板との間の空間に断熱部で覆われた表示部が設けられ、この表示部の上部に仕切り板が設けられ、この仕切り板によって空間が上下に仕切られているので、外側透明板の背面の仕切り板の上部に蒸気が入り込んだとしても、蒸気が外側透明板の背面の表示部の前面側へ移動することを防ぐことができる。よって、２枚の透明板の間の空間に表示部を有する扉を備えたものにおいて、前記表示部の前面側における結露の発生を、仕切り板を設けただけ簡単な構成で極力防止することができる。
【発明を実施するための最良の形態】
【００１０】
以下、本発明の加熱調理器を、電子レンジに適用して説明する。
まず、第１の実施形態について、図１乃至図５を参照して説明する。
図２に、電子レンジ１の外観斜視図を示す。電子レンジ１は、本体２と、扉３とを有して構成されている。
本体２は、図１に示すように、外箱４の内部に内箱５が配置されて構成されており、この内箱５の内部が、被調理物が収容される調理室６として機能するようになっている。この調理室６の前面には、被調理物の出入れを行う開口部７が形成されている。
【００１１】
調理室６には、図示しないマイクロ波発振器からマイクロ波が供給され、もってマイクロ波による加熱調理が行われるようになっている。尚、本体２には、図示はしないが、スチーム供給装置が設けられていて、そのスチーム供給装置から調理室６内にスチームを供給できる機構となっている。
【００１２】
前記扉３は、本体２の前面に取付けられており、本体２の前面下部に設けられたヒンジ（図示せず）によって調理室６の開口部７を開閉可能にする構成になっている。この扉３は、図２〜図４に示すように、矩形枠状をなす金属製の扉枠１１と、この扉枠１１の背面側（調理室６側、後部）の内周に配置された内側透明板１２と、前面側（電子レンジ１の外側、前部）の内周に配置され外側透明板１３とから概略構成されている。
【００１３】
扉枠１１は、側面から見ると、前面下端部がもっとも前に突出した形状をなしている。内側透明板１２は、図１に示すように、外側透明板１３に対して空間１４を介して対向配置されている。内側透明板１２及び外側透明板１３は、この場合ガラスの板であり、内側透明板１２及び外側透明板１３とを有する扉３を備えた電子レンジ１は、扉３の前方から調理室６内を見ることができる構成になっている。尚、外側透明板１３は、この場合、意匠性を向上させるために上下方向の中央部が前方に突出するように少し湾曲した形状をなしているが、湾曲していない板状であっても良い。
【００１４】
扉３の内側透明板１２よりも前面側には、図１及び図４に示すように、中央部にマイクロ波を遮断する大きさの孔１５ａを多数有する金属製の扉板１５、この場合パンチングメタルが設けられている。この扉板１５は、外郭が扉枠１１よりもやや小さい矩形状をなし、中央部の内側透明板１２に対応する部分が前面側に凹んでおり、この凹んだ部分に上述した孔１５ａが形成されている。この扉板１５は、矩形枠状の金属製の扉カバー１６を介して扉枠１１に取付けられている。そして、内側透明板１２が、この扉板１５の背面側の凹んだ部分の面上に嵌込まれて取付けられ、これにより、扉板１５の中央部の前面側に凹んだ部分が、内側透明板１２と外側透明板１３との間の空間１４に配置された構成になっている。
【００１５】
又、扉板１５と扉カバー１６との間にあって、電子レンジ１の本体２の前面の開口部７よりも一回り大きい外周部には、枠状をなすパッキン１７が設けられている。このパッキン１７は、扉３を閉じたときに、本体２と扉３との間からの空気の出入りを遮断するものである。
【００１６】
扉３の前面側において、図１に示すように、扉枠１１の上部〜中央部にかけて、矩形状の開口部１１ａが形成されており、この開口部１１ａの周縁部のうちの左右両側の縁部には、図２に示しように、前方に突出する壁部１１ｂ，１１ｂが形成されている。扉枠１１の左下部分には、矩形状の開口部１１ｃが形成されている。
【００１７】
前記外側透明板１３は、扉枠１１の開口部１１ａ（壁部１１ｂ間）に嵌込まれて固定されている。この外側透明板１３（開口部１１ａ）のすぐ上の部分、即ち、扉枠１１の前面側の上端部には、図２〜図４に示すように、扉３の開閉操作のための取っ手１８が設けられている。
【００１８】
扉枠１１の開口部１１ｃには、図１にも示すように、調理条件等を表示する第１の表示部２１（本発明の別の表示部に相当）が設けられている。第１の表示部２１は、この場合、液晶表示する装置であり、液晶表示される液晶画面部２２を有している。この液晶画面部２２は、表示内容の制御を行う液晶表示基板２３上に枠状の第１の表示ホルダ２４を介して設けられている。第１の表示ホルダ２４は、液晶画面部２２を液晶表示基板２３に対して所定の空間を空けて保持固定するものであり、液晶表示基板２３上に固定されている。これにより、第１の表示ホルダ２４に液晶画面部２２を嵌込むと、液晶画面部２２が所定の位置に固定される。
【００１９】
液晶画面部２２の前面側には、この液晶画面部２２の前面を覆うように液晶カバー２５が設けられている。この液晶カバー２５は、扉枠１１の前面に対して面一になるように、扉枠１１の開口部１１ｃに嵌込まれている。
尚、第１の表示部２１は、液晶画面部２２と、液晶表示基板２３と、第１の表示ホルダ２４及び液晶カバー２５とを有して構成されている。
【００２０】
第１の表示部２１の右側には、図２及び図３に示すように、調理条件等の選択、決定等を行うための操作部２６が第１の表示部２１に隣接するように設けられている。操作部２６は、この場合、加熱条件を選択する選択ボタン２７と、回転操作により調理条件等を選択するダイヤルキー２８と、選択された調理条件等で加熱調理を開始するためのスタートボタン２９と、選択された調理条件等の取消しを行うための取消しボタン３０とから構成されている。
【００２１】
内側透明板１２と外側透明板１３との間の空間１４において、外側透明板１３の下部に対応する部分には、図１〜図３に示すように、扉３の前面に調理条件等を表示する第２の表示部３１（本発明の表示部に相当）が設けられている。第１の表示部２１と第２の表示部３１との関係においては、詳しくは後述するが、第１の表示部２１と第２の表示部３１とは異なる位置に設けられた表示部であり、第２の表示部３１には、すべての調理条件等が記載されており（図３参照）、使用者がこの第２の表示部３１の調理条件等に基づいて操作部２６（この場合、選択ボタン２７）を操作する際に、この操作により現在選択中の調理条件等の内容（この場合、調理条件等に対応する番号）が、第１の表示部２１の液晶画面部２２に表示される構成になっている。
【００２２】
第２の表示部３１は、図１に示すように、上述した調理条件等が記載されたプレート部３２を有している。このプレート部３２はプラスチックからなり、調理条件等が記載された文字部分３２ａ（図３参照）は光を通す半透明な白色にされ、その他の部分は光を通さないように、この場合黒色に着色されている。プレート部３２に記載された文字には、大まかな調理項目（例えば、スチーム）であって、スチームを使用するといった同一概念の複数の調理メニューを包含する調理項目が記載されており、その下方に前記調理項目に該当する調理メニューである被調理物の名称（例えば、肉、さしみ）、解凍の程度（例えば、半解凍、全解凍）等が記載されている。
【００２３】
このプレート部３２の背面側には、図１に示すように、プレート部３２を後方から照明する光源３３を実装した光源用基板３４が設けられている。この光源３３は、この場合赤色に発光（点灯）するＬＥＤ（発光ダイオード）であり、扉３の左右方向に複数個並べられており、詳しくは後述するが、使用者の調理条件等の選択、決定等を行う際に、プレート部３２の文字部分３２ａのうちの使用者の調理条件等の選択した箇所に対応する光源３３が点灯し、これにより、選択された調理条件等の文字がこの場合赤色に見えるように構成されている。尚、図１では高さ方向に１個のみ図示しているが、扉３の高さ方向に複数個並べても良い。光源用基板３４は、枠状をなす第２の表示ホルダ３５に取付けられている。
【００２４】
第２の表示ホルダ３５の上端部の辺は、図１に示すように、断面Ｌ字状をなしており、具体的には、プレート部３２の上端部と光源用基板３４の上端部との間に位置して、プレート部３２の上端部と光源用基板３４との間に所定の空間を設けるための上スペーサ部３５ａと、上スペーサ部３５ａから上方に延びて背面側（内側透明板１２側）に折れ曲がり、光源用基板３４よりも後ろ側に延びる延出部３５ｂとから構成されている。一方、第２の表示ホルダ３５の下端部の辺は、断面Ｓ字状をなしており、具体的には、プレート部３２の下端部と光源用基板３４の下端部との間に位置して、プレート部３２の下端部と光源用基板３４の下端部との間に所定の空間を設けるための下スペーサ部３５ｃと、下スペーサ部３５ｃの前端部から下方に延びて更に前方が開口した断面がコ字状をなし、その開口部分が扉枠１１と嵌合する嵌合部３５ｄとから構成されている。
【００２５】
下スペーサ部３５ｃは、上スペーサ部３５ａよりも前後方向が長く構成され、下スペーサ部３５ｃの前端部が外側透明板１３に近接するように配置されている。これにより、第２の表示部３１のプレート部３２は、側面から見て上端部が下端部よりも後ろ側に位置するように傾斜して配置されている。又、下スペーサ部３５ｃの前端部が外側透明板１３に近接するように配置されているので、第２の表示部３１は、外側透明板１３に対して後方へ離間して設けられた構成となっている。
【００２６】
内側透明板１２と外側透明板１３との間の空間１４にあって、第１の表示部２１の背面側及び第２の表示部３１の背面側には、断面Ｌ字状の電気部品ホルダ３６が設けられている。電気部品ホルダ３６は、第１の表示部２１の背面及び下面と、第２の表示部３１の背面及び下面とを覆って、これら第１の表示部２１と第２の表示部３１とを保持固定するプラスチックの板である。これにより、第２の表示部３１の光源用基板３４は、前面がプレート部３２で、上及び左右方向が第２の表示ホルダ３５で、背面及び下面が電気部品ホルダ３６で覆われて密閉された空間３７に配置された構成となっている。
【００２７】
内側透明板１２と外側透明板１３との間の空間１４にあって、電気部品ホルダ３６の背面側には、調理室６で生じた熱が第１の表示部２１及び第２の表示部３１に伝わることを極力防止するための断熱部３８が設けられている。
【００２８】
この断熱部３８は、金属の板を複数枚用いて、これら各金属の板の間に隙間を設けて配置されることにより構成されている。本実施形態では、３枚の遮熱板３９，４０，４１が用いられて断熱部３８が構成されており、この場合、遮熱板３９が電気部品ホルダ３６に最も接近して配置され、遮熱板４１が最も電気部品ホルダ３６から離れて配置されている。遮熱板３９，４０，４１は、ぞれぞれ、電気部品ホルダ３６の上下方向に沿うように延びた形状をなし、第１の表示部２１の背面及び第２の表示部３１の背面に対応する範囲を覆う形状をなしている。即ち、第２の表示部３１は、断熱部３８で周囲が覆われた構成になっている。
【００２９】
さて、内側透明板１２と外側透明板１３との間の空間１４にあって、第２の表示部３１と内側透明板１２との間には、図５にも示すように、熱伝導性が良好な材料、例えば鉄の板を折曲げて形成された仕切り板４２が設けられている。尚、熱伝導性が良好な材料としては、他には、例えばプラスチックよりも熱伝導性に優れる材料で、アルミニウムや銅等の金属が好ましい。
【００３０】
この仕切り板４２は、断面Ｌ字状をなし、前後方向に延びる水平部４２ａと、水平部４２ａの内側透明板１２側の端部から下方に延びて、第２の表示部３１の背面側（後部）を覆うように位置された垂直部４２ｂとから構成されている。この場合、水平部４２ａが第２の表示部３１の第２の表示ホルダ３５の上部に位置し、仕切り板４２の水平部４２ａの前側の先端部が外側透明板１３の背面に接触して設けられている。又、仕切り板４２の垂直部４２ｂが、断熱部３８の遮熱板４１の背面側に面全体で接触するように配置されている。
【００３１】
この仕切り板４２は、外部や第２の表示部３１の光源３３の光を反射しない色、この場合、黒色に着色されている。尚、仕切り板４２の下面のみを黒色に着色しても良く、又、着色の色は、黒色に限定されるものではなく、上記の光を反射しない色であれば何色でも良い。
【００３２】
次に、調理条件の設定手順について図３を用いて説明する。
まず、調理室６に被調理物を収容した後、第２の表示部３１のプレート部３２に記載された文字のうちのおおまかな項目を選択する。例えば、被調理物が「肉」で「スチームによって全解凍」を行いたい場合には、使用者が操作部２６の選択ボタン２７のうちの「スチーム」に対応する選択ボタン２７ａを押す。すると、第２の表示部３１のプレート部３２のうちの調理項目の「スチーム」とその下方に記載されている同一概念の調理メニューのうちの「８  肉・半解凍」、「９  肉・全解凍」、「１０  さしみ」の部分に対応する光源３３が点灯し、「スチーム」、「８  肉・半解凍」、「９  肉・全解凍」、「１０  さしみ」の文字が赤色に見える。
【００３３】
又、このときに、第１の表示部２１の液晶画面部２２には、詳細な内容のうちのもっとも小さい番号に該当する数字、この場合「８」が表示される。この場合の調理では、「スチームによって（被調理物の肉を）全解凍」に相当する「９  肉・全解凍」を選択する必要があるので、「スチーム」に対応する選択ボタン２７ａをもう一度押す。すると、第１の表示部２１の液晶画面部２２に、選択ボタン２７ａにより選択された「９」が表示される。この第１の表示部２１の表示状態で、操作部２６のスタートボタン２９を押すと、「９  肉・全解凍」に相当するスチームによる全解凍が開始される。
【００３４】
次に、本実施形態の作用及び効果について説明する。
電子レンジ１を用いた加熱調理において、水分を多く含む被調理物を加熱する場合やスチームを用いた加熱を行う場合には、調理室６内に蒸気が発生する。調理室６に蒸気が存すると、その蒸気の一部が、扉３の内側透明板１２と扉板１５との隙間、扉板１５とパッキン１７との隙間、扉カバー１６とパッキン１７との隙間から、内側透明板１２と外側透明板１３との間の空間１４に入り込むことがあり、外側透明板１３の背面の表面温度が低い場合には、この外側透明板１３の背面の空間１４に対応する部分に結露が生じることがある。
【００３５】
又、内側透明板１２と外側透明板１３との間の空間１４に第２の表示部３１が設けられ、この第２の表示部３１が断熱部３８で覆われていると、外側透明板１３の背面うちの第２の表示部３１の前面に対応する部分は、それ以外の部分に比べて、断熱部３８の断熱作用により外側透明板１３の表面温度が低くなり易く、第２の表示部３１が内側透明板１２と外側透明板１３との間の空間１４に無い構成の加熱調理器に比べて、より結露が発生し易くなっている。
【００３６】
本実施形態の構成によれば、扉３の内側透明板１２と外側透明板１３との間の空間１４に断熱部３８で覆われた第２の表示部３１が設けられ、この第２の表示部３１の上部に仕切り板４２が設けられ、この仕切り板４２によって空間１４が上下に仕切られているので、外側透明板１３の背面の仕切り板４２の上部に蒸気が入り込んだとしても、蒸気の外側透明板１３の背面の第２の表示部３１の前面側への移動を防ぐことができる。よって、内側透明板１２と外側透明板１３との間の空間１４に第２の表示部３１を有する扉３を備えたものにおいて、第２の表示部３１の前面側における結露の発生を、仕切り板４２を設けただけ簡単な構成で極力防止することができる。
【００３７】
仕切り板４２を熱伝導性が良好な鉄で構成し、又、仕切り板４２の水平部４２ａの先端部が外側透明板１３の背面に接触し、仕切り板４２の垂直部４２ｂが内側透明板１２の前面側に近接して設けられているので、調理室６で生じた熱の影響を仕切り板４２全体、特に仕切り板４２の垂直部４２ｂで受けることができ、この受けた熱を外側透明板１３に容易に伝えることができ、もって、外側透明板１３の背面の表面温度を高くすることができ、外側透明板１３の背面に結露が発生してしまうことを一層防止することができる。
【００３８】
仕切り板４２を、外部や第２の表示部３１の光源３３の光を反射しない色、この場合、黒色に着色したので、外部の光や第２の表示部３１の光源３３の光が仕切り板４２に当たって反射してしまうことを防ぎ、もって、これらの光の反射により第２の表示部３１のプレート部３２の文字部分３２ａが見え難くなることを防止することができる。又、仕切り板４２を着色することにより、意匠性を向上させることができる。
【００３９】
仕切り板４２の水平部４２ａが第２の表示部３１の上方に位置し、垂直部４２ｂが第２の表示部３１の背面側（後部）に位置して、仕切り板４２が第２の表示部３１を覆う形状であるので、調理室６で生じた熱が第２の表示部３１の光源用基板３４に伝えられてしまうことを極力防止することができる。即ち、仕切り板４２を遮熱板としても機能させることができる。
【００４０】
第２の表示部３１の光源用基板３４を、プレート部３２と、第２の表示ホルダ３５と、電気部品ホルダ３６とで囲った密閉された空間３７に配置したので、万が一、外側透明板１３の背面のうちの第２の表示部３１のプレート部３２の前面に対応する部分に結露が生じても、第２の表示部３１の光源用基板３４は、この結露で生じた水の影響を受けることはほとんどなく、結露で生じた水による故障の発生を極力防止することができる。
【００４１】
次に、本発明の第２の実施形態を図６を参照して説明する。尚、上記第１の実施形態と同一部分には同一符号を付し、その詳細な説明は省略する。
又、同一概念の複数の調理メニューを第２の表示部３１に表示し、操作部２６（選択ボタン２７ａ）により選択された１つの調理メニューを第１の表示部２１に表示するようにしたので、使用者は調理メニューを選択する操作がし易くなり、又、視認性を向上させることができる。
【００４２】
第２の実施形態では、図６に示すように、第１の実施形態の扉３の扉枠１１の壁部１１ｂにあって左右方向の外側の側面に、内側透明板１２と外側透明板１３との間の空間１４と外部とを連通させるスリット５１が形成されている。このスリット５１は、具体的には、上下方向に多数並んで形成された孔であり、各孔は前後方向に延びた形状をなしている。又、このスリット５１の最下部の孔は、仕切り板４２の水平部４２ａよりも上方に位置している。
【００４３】
上記構成によれば、扉３の扉枠１１の壁部１１ｂに、内側透明板１２と外側透明板１３との間の空間１４と外部とを連通させるスリット５１を形成したので、内側透明板１２と外側透明板１３との間の空間１４の内と外部との通気が可能となり、空間１４内の蒸気を、扉３の外へ排出させることができ、外側透明板１３の背面で結露が発生してしまうことを極力防止することができる。
【００４４】
又、スリット５１を仕切り板４２よりも上方に形成した構成であるので、万が一、扉３の外側に存する蒸気がスリット５１を通って外側透明板１３の背面の仕切り板４２の上部に侵入しても、侵入した蒸気の外側透明板１３の背面の第２の表示部３１の前面側への移動が仕切り板４２によって防がれ、もって、外側透明板１３の背面の第２の表示部３１の前面側に対応する部分に結露が発生してしまうことを極力防止することができる。
【００４５】
尚、本発明は上記し且つ図面に示す実施形態に限定されず、次のような変形、拡張が可能である。
仕切り板４２における水平部４２ａの先端部を折曲げて、この折曲げた部分を外側透明板１３の背面に接触するようにして、仕切り板４２と外側透明板１３との接触面積を大きくし、調理室６（内側透明板１２）からの熱を効率良く外側透明板１３に伝える構成にしても良い。
【００４６】
第１及び第２の実施形態では、第１の表示部２１を扉３（扉枠１１）に設けた構成で説明したが、第１の表示部２１を電子レンジ１の本体２に設ける構成としても良い。
本発明は、電子レンジに適用して説明したが、電子レンジ以外の２枚の透明板を有する扉を備えた加熱調理器、例えば、飽和蒸気を更に加熱した１００℃以上の過熱蒸気によって、被調理物の加熱を行う加熱調理器にも適用することができる。
その他、上記説明した実施形態の形状、材料、操作手順等は一例にすぎず、適宜変更することができる。
【図面の簡単な説明】
【００４７】
【図１】本発明の第１の実施形態を示す加熱調理器の扉の要部の縦断側面図
【図２】加熱調理器全体の斜視図
【図３】扉の正面図
【図４】扉を後側から見た斜視図
【図５】仕切り板の斜視図
【図６】本発明の第２の実施形態を示す加熱調理器の扉の斜視図
【符号の説明】
【００４８】
図面中、１は電子レンジ（加熱調理器）、３は扉、６は調理室、７は開口部、１２は内側透明板、１３は外側透明板、２１は第１の表示部（別の表示部）、３１は第２の表示部（表示部）、３３は光源、３４は光源用基板、３８は断熱部、４２は仕切り板、４２ａは水平部、４２ｂは垂直部、５１はスリットを示す。
【図１】
2010032153.tif 000003
【図２】
2010032153.tif 000004
【図３】
2010032153.tif 000005
【図４】
2010032153.tif 000006
【図５】
2010032153.tif 000007
【図６】
2010032153.tif 000008